(57)【要約】【課題】ドラムの外面と、ドラムの外面から半径方向外側に配置された格子との間に配置された１つまたは複数の仕切板を備える回転ドラムフィルタを提供すること。【解決手段】仕切板は、ドラムの外面に沿って斜めに配置され、ドレン穴の近くに配置された少なくとも１つの端部を有することが望ましい。周方向に隣接する格子間の格子の下の仕切板および開放部分によって、濾液は格子の下を流れることができる。格子の下の仕切板および開放部分によって、濾液は、格子の下の流れを増やしながら最も近いドレン穴に流れ込むことができ、それによって、より多くの濾液が限られた数のドレン穴を通って出ることができる。【選択図】図１Ａ
2019217497.tif 000002
【特許請求の範囲】
【請求項１】
複数のドレン穴を画定する領域を有するドラムシェルと、
前記ドラムシェルの外面上に配置され、前記ドラムシェルに沿って長手方向および横方向に延在する仕切板であって、前記仕切板が、第１の端部および第２の端部を備え、前記第１の端部がドレン穴の近くに配置される、仕切板と
を備える回転ドラムフィルタ。
【請求項２】
回転中心軸線および中央ドレンチャネルの周りに配置された回転支持構造であって、前記中央ドレンチャネルの端部が真空システムと流体連通する、回転支持構造と、前記ドレン穴および前記中央ドレンチャネルと流体連通するドレン導管と、隣接する２つの格子ホルダの間で、前記仕切板の上に配置された格子と、前記回転フィルタドラムの周りに配置されたフィルタ材とをさらに備える、請求項１に記載の回転フィルタドラム。
【請求項３】
前記ドラムシェルの前記外面に取り付けられ、弧状の複数のドレンセクタのドレンセクタ内を長手方向および横方向に延在する複数の仕切板をさらに備える、請求項１に記載の回転ドラムフィルタ。
【請求項４】
前記複数の仕切板のうちの２つ以上の仕切板の前記第１の端部が、ドレン穴を分離するように隣接して配置された、請求項３に記載の回転ドラムフィルタ。
【請求項５】
前記ドラムシェルの外面上を長手方向に延在し、弧状の間隔で配置されて、前記ドラムシェルの周りに配置される弧状の複数のドレンセクタを画定する格子ホルダをさらに備え、前記複数の格子ホルダの格子ホルダが、前記格子ホルダの長さに沿って配置された複数のスロットを備える、請求項１に記載の回転ドラムフィルタ。
【請求項６】
前記仕切板が、隣接する格子ホルダに対してある角度で配置され、前記角度が、約２５度から９０度の間である、請求項５に記載の回転フィルタドラム。
【請求項７】
前記複数のドレンセクタのそれぞれに配置された複数の仕切板をさらに備える、請求項１に記載の回転ドラムフィルタ。
【請求項８】
前記ドラムの前記外面の周りに配置された格子をさらに備え、前記仕切板が、前記ドラムの前記外面の周りに配置された前記格子の底と係合する、請求項１に記載の回転ドラムフィルタ。
【請求項９】
前記ドラムの前記外面の周りに配置された格子をさらに備え、前記仕切板が、前記ドラムの前記外面の周りに配置された前記格子の底から延在する、請求項１に記載の回転ドラムフィルタ。
【請求項１０】
複数のドレン穴を画定する領域を有するドラムシェルと、
弧状の間隔でドラムシェルの外面上を長手方向に延在して弧状の複数のドレンセクタを画定する格子ホルダであって、前記弧状の複数のドレンセクタが、
第１のドレンセクタと、
前記第１のドレンセクタに隣接して配置された第２のドレンセクタとを含み、前記ドレンセクタのそれぞれが、
第２の長手方向端部から遠位に配置された第１の長手方向端部と、
第２の横方向端部から遠位に配置された第１の横方向端部とを有し、前記第１のドレンセクタおよび前記第２のドレンセクタが、前記第１の横方向端部および前記第２の横方向端部の近くに配置されたドレン穴を有する、格子ホルダと、
前記ドラムシェルの前記外面上に配置され、前記第１のドレンセクタおよび前記第２のドレンセクタ内を長手方向および横方向に延在する仕切板であって、前記第１のドレンセクタおよび前記第２のドレンセクタの前記ドレン板の端部が、前記第１のドレンセクタと前記第２のドレンセクタとの間に配置された中間格子ホルダの方に向かって収束する、仕切板と
を備えた回転ドラムフィルタ。
【請求項１１】
前記第１のドレンセクタが、少なくとも２つの仕切板をさらに備え、前記第２のドレンセクタが、少なくとも２つの仕切板を備え、
各ドレンセクタの前記少なくとも２つの仕切板のうちの第２の仕切板が、各ドレンセクタの第１の仕切板から長手方向遠位に配置され、
前記第１のドレンセクタの前記第１の仕切板の第１の端部が、前記第１のドレンセクタの前記第１の横方向端部および前記第１の長手方向端部のより近くに配置され、前記第１のドレンセクタの前記第１の仕切板の第２の端部が、前記第１のドレンセクタの前記第２の横方向端部および前記第２の長手方向端部のより近くに配置され、
前記第２のドレンセクタの前記第１の仕切板の第１の端部が、前記第２のドレンセクタの前記第２の横方向端部および前記第１の長手方向端部のより近くに配置され、前記第２のドレンセクタの前記第１の仕切板の第２の端部が、前記第２のドレンセクタの前記第１の横方向端部および前記第２の長手方向端部のより近くに配置され、
これによって、前記第１のドレンセクタの前記第１の仕切板と前記第２のドレンセクタの前記第１の仕切板とが収束仕切板を画定し、
前記第１のドレンセクタの前記第２の仕切板の第１の端部が、前記第１のドレンセクタの前記第２の横方向端部および前記第１の長手方向端部のより近くに配置され、前記第１のドレンセクタの前記第２の仕切板の第２の端部が、前記第１のドレンセクタの前記第１の横方向端部および前記第２の長手方向端部のより近くに配置され、
前記第２のドレンセクタの前記第２の仕切板の第１の端部が、前記第２のドレンセクタの前記第１の横方向端部および前記第１の長手方向端部のより近くに配置され、前記第２のドレンセクタの前記第２の仕切板の第２の端部が、前記第２のドレンセクタの前記第２の横方向端部および前記第２の長手方向端部のより近くに配置され、
これによって、前記第１のドレンセクタの前記第２の仕切板と前記第２のドレンセクタの前記第２の仕切板とが発散仕切板を画定する、請求項１０に記載の回転ドラムフィルタ。
【請求項１２】
前記仕切板の前記第１の端部および前記第２の端部が、ドレン穴の近くに配置された、請求項１１に記載の回転ドラムフィルタ。
【請求項１３】
前記収束仕切板と前記発散仕切板とが、前記第１のドレンセクタと前記第２のドレンセクタとの間に６角形を画定する、請求項１１に記載の回転ドラムフィルタ。
【請求項１４】
前記収束仕切板と前記発散仕切板とが、濾液を前記ドレン穴に導くように構成された卵形、円形、菱形、長楕円形、８角形、または他の多角形よりなる群から選択された形状を画定する、請求項１１に記載の回転ドラムフィルタ。
【請求項１５】
前記第１のドレンセクタおよび前記第２のドレンセクタのそれぞれに少なくとも３つの仕切板をさらに備え、
各ドレンセクタの前記少なくとも３つの仕切板のうちの第３の仕切板が、各ドレンセクタの前記第１の仕切板および前記第２の仕切板から長手方向遠位に配置され、
前記第１のドレンセクタの前記第３の仕切板の第１の端部が、前記第１のドレンセクタの前記第１の横方向端部および前記第１の長手方向端部のより近くに配置され、前記第１のドレンセクタの前記第３の仕切板の第２の端部が、前記第１のドレンセクタの前記第２の横方向端部および前記第２の長手方向端部のより近くに配置され、
前記第２のドレンセクタの前記第３の仕切板の第１の端部が、前記第２のドレンセクタの前記第２の横方向端部および前記第１の長手方向端部のより近くに配置され、前記第２のドレンセクタの前記第３の仕切板の第２の端部が、前記第２のドレンセクタの前記第１の横方向端部および前記第２の長手方向端部のより近くに配置され、
これによって、前記第１のドレンセクタの前記第３の仕切板と前記第２のドレンセクタの前記第３の仕切板とが収束仕切板を画定する、請求項１１に記載の回転ドラムフィルタ。
【請求項１６】
前記格子ホルダが、前記格子ホルダの長さに沿って配置された複数のスロットを有する、請求項１０に記載の回転ドラムフィルタ。
【請求項１７】
複数のドレン穴を画定する領域を有するドラムシェルと、
前記ドラムシェルの外面上に配置され、前記ドラムシェルに沿い、前記ドラムシェルの上昇するドレンセクタの上方セクションに沿ってから前記ドラムシェルの前記上昇ドレンセクタの下方セクションまで長手方向および横方向に延在する仕切板であって、前記仕切板が、第１の端部および第２の端部を備え、前記第１の端部が、ドレン穴の近くに配置され、前記第２の端部がドレン穴の近くに配置された、仕切板と
を備える回転フィルタドラム。
【請求項１８】
前記ドラムシェルの外面上を長手方向に延在し、弧状の間隔で配置されて、前記ドラムシェルの周りに配置される弧状の複数のドレンセクタを画定する格子ホルダをさらに備える、請求項１７に記載の回転ドラムフィルタ。
【請求項１９】
前記複数の格子ホルダの格子ホルダが、前記格子ホルダの長さに沿って配置された複数のスロットを備える、請求項１８に記載の回転ドラムフィルタ。
【請求項２０】
前記複数の格子ホルダの格子ホルダが、前記ドラム外面の上方に配置された、請求項１８に記載の回転ドラムフィルタ。
【発明の詳細な説明】
【技術分野】
【０００１】
関連出願への相互参照
【０００２】
本出願は、２０１８年６月２０に出願された米国仮出願第６２／６８７，３８１号の出願日遡及の３５Ｕ．Ｓ．Ｃ．§１１９（ｅ）条に基づく利益を主張し、その内容全体が参照によって本明細書に援用される。
【０００３】
本開示は一般に、スラッジまたは他の懸濁液を脱水するために、いかなる産業においても使用される回転ドラム洗浄装置に関し、より詳細には、パルプおよび製紙工業での薬品回収プロセスにおいて、特に、石灰泥またはドレッグスの回収のために使用される再苛性化ドラムに関する。
【背景技術】
【０００４】
いくつかの方法でパルプを産業規模で製造することが可能である。生産者はこれらの方法を３つの大まかなカテゴリー、すなわち、化学パルプ化、機械パルプ化、およびハイブリッドパルプ化のうちの１つに分類する傾向がある。ハイブリッドパルプ化は化学パルプ化と機械パルプ化の両方の異なる態様を含む。簡単に言うと、機械パルプ化はしばしば、リグノセルロース材料（例えば、木材チップ、バガス、コーンストーバ、再生紙、またはタンパク質リグニンおよびセルロースポリマーを含む他の材料）を一連の機械式リファイナーを通して送り出すことを含む。連続したリファイニングによって、リグノセルロース材料は所望のパルプ等級に細かく砕かれる。工場運転者は、このパルプをさらに処理してパルプを基にしたいくつかの製品（例えば、紙、包装材、吸収用詰め物など）にすることができる、または工場運転者はパルプを卸売りすることができる。
【０００５】
化学プロセスでは、工場運転者は、リグノセルロース材料を強酸または強アルカリのどちらかで処理してセルロース繊維からリグニンを分離する。次いで、運転者は、セルロース繊維を分離、洗浄、さらに処理してパルプまたはパルプを基にした他の製品にすることができる。化学プロセスの例には、クラフトプロセス（「硫酸塩プロセス」としても知られている）、亜硫酸プロセス、ソーダパルプ化プロセス、および亜硫酸半化学パルプ化プロセスが含まれる。
【０００６】
化学プロセスの各タイプに対する薬品の処理は変わることがあるが、工場運転者はしばしば、これらのプロセス薬品を回収および再生利用して工場を経済的に運用する。例えば、クラフトプロセスでは、工場運転者は、大きな加圧蒸解がまで「白液」を使ってリグノセルロース材料を蒸解する。白液は水酸化ナトリウムＮａＯＨおよび硫化ナトリウムＮａ２Ｓを含む。蒸解した後、使用済薬液と未精製パルプとのスラリは蒸解がまを出る。使用済薬液は一般に「黒液」として知られており、蒸解プロセスから残った有機および無機の化合物を含む。
【０００７】
下流のパルプ化機器が未精製のパルプを処理し続けている間、薬品回収プロセスは、黒液を分離、濃縮、次いで、薬品回収ボイラに移送することで始まる。薬品回収ボイラは過剰な水分を蒸発し、黒液中の無機化合物は熱分解を受ける。これらの無機化合物は、回収ボイラの底に溶融塩（スメルト）として堆積し、最後に隣接の溶解タンクに流入する。溶解タンクは典型的には、石灰泥および他の沈殿物を洗浄するために使用される溶液を含む「弱洗浄液（ｗｅａｋ  ｗａｓｈ）」を含む。弱洗浄液に接触すると、スメルトは弱洗浄液と反応および混合して「緑液」になる。緑液は、白液の主成分である硫化ナトリウムＮａ２Ｓおよび副産物の炭酸ナトリウムＮａ２ＣＯ３を含む。
【０００８】
運転者は次いで、緑液を浄化して撹拌機に送り込み、酸化カルシウム（ＣａＯ）および水を加える。酸化カルシウムは一般に「生石灰」として知られている。生石灰は、水と発熱反応して水酸化カルシウムＣａ（ＯＨ）２を生じる。水酸化カルシウムは次いで、緑液中の炭酸ナトリウムと反応して白液の他の成分である水酸化ナトリウムＮａＯＨおよび副産物の炭酸カルシウムＣａＣＯ３を生じる。炭酸カルシウムは一般に「石灰泥」として知られている。
【０００９】
この段階で、石灰泥は白液溶液から沈殿する。運転者は次いで、白液を浄化して貯蔵タンクに移送してクラフトプロセスでの再使用を待つ。その間、運転者は、変換して生石灰（酸化カルシウムＣａＯ）に戻すために石灰泥を洗浄、濾過して石灰キルンに移送する。再生生石灰を使って、工場運転者は、費用効果的に緑液を処理して白液を回収し続けることができる。
【００１０】
石灰泥を石灰キルンに送り込む前に石灰泥を洗浄および濾過するために、運転者は回転ドラムフィルタ上の石灰泥を処理することができる。これらのフィルタは典型的には、石灰泥のバットに部分的に沈められた円筒状ドラムよりなる。繊維、プラスチック、または金属のメッシュがドラムの外面を覆って、フィルタ材として使用される。ドラムは、ドラムの一端で真空システムに接続する中心ドレンチャネルの周りを回転する。落下管脚部を通って流れる空気が真空を生成する。導管はドラムのドレン穴を中心ドレンチャネルに接続する。真空にすることによって、沈められたドラムのセクタ上に石灰泥を堆積させることができる。ドラムセクタが回転してバットから出ると、濾液は、フィルタ材、ドレン穴、導管、中心ドレンチャネル、および真空システムを通って流れる。セクタが回転してバット内に戻る前に、ドクターブレードが脱水された石灰泥をかき取る。次いで、運転者はこの脱水された石灰泥を集めて、それを石灰キルンに送り込む前に蓄えておくことができる。
【００１１】
濾液がセクタを出る速度は、回転速度および各セクタのドレン穴の数によって制限され得る。現状の回転ドラムフィルタの設計では、回転速度を増大しても濾過がさらに増大することがない段階にある。これを補うために、より多くのドレン穴を加えることを考えるかもしれないが、より多くのドレン穴を加えることはそれ自体問題がある。ドレン穴を多く加え過ぎると、ドラムと石灰泥との間の差圧が下がり、それによって、ドラムが初期泥層を生成する能力が下がる。この初期泥層は主フィルタ材として働き、この初期泥層によって、この初期層の上にさらなる泥が堆積することができる。さらに、既存の回転フィルタドラムは、ドレン穴を追加するのに望ましい箇所に構造構成部品を有している場合がある。ドレン穴の数を増やすことはまた、回転フィルタドラムの構造的一体性を弱める場合がある。したがって、回転フィルタドラムの構造的一体性を弱めることなく濾過速度を上昇させる必要性は長い間感じられてきたが解決策がなかった。
【発明の概要】
【発明が解決しようとする課題】
【００１２】
回転フィルタドラムにおいて、濾液がセクタ内を方向が定まらないで流れることによって生じる問題はまだ理解されていないが、この問題は、複数のドレン穴を画定する領域を有するドラムシェルと、ドラムシェルの外面上に配置され、ドラムシェルに沿って長手方向および横方向に延在する仕切板とを備え、仕切板が、第１の端部および第２の端部を備え、第１の端部が、ドレン穴の近くに配置され、それによって濾液をドレン穴内に導くように構成された、回転ドラムフィルタによって緩和される。
【課題を解決するための手段】
【００１３】
例示的な回転ドラムフィルタは、格子ホルダの長さに沿って配置された複数のスロットを有する格子ホルダをさらに備えることができ、この格子ホルダは、弧状の間隔でドラムシェルの外面上を長手方向に延在して弧状の複数のドレンセクタを画定する。仕切板は、ドレンセクタ間に配置することができる。
【００１４】
さらに他の例示的な実施形態では、仕切板は、ドラムシェルの周りに配置された１つまたは複数の格子から延在することができる。
【００１５】
回転フィルタドラムにおいて、濾液がセクタ内を方向が定まらないで流れることによって生じる問題はまだ理解されていないが、別の例示的な実施形態では、この問題は、複数のドレン穴を画定する領域を有するドラムシェルと、その長さに沿って配置された複数のスロットを有する格子ホルダであって、格子ホルダが、弧状の間隔でドラムシェルの外面上を長手方向に延在して弧状の複数のドレンセクタを画定し、この弧状の複数のドレンセクタが、第１の弧状のドレンセクタと、第１の弧状のドレンセクタに隣接して配置された第２の弧状のドレンセクタとを含み、弧状のドレンセクタのそれぞれが、第２の長手方向端部から遠位に配置された第１の長手方向端部を有し、第１の弧状のドレンセクタおよび第２の弧状のドレンセクタが、第１の横方向端部、および第１の横方向端部から遠位に配置された第２の横方向端部に配置されたドレン穴を有する、格子ホルダと、ドラムシェルの外面上に配置され、第１の弧状のドレンセクタおよび第２の弧状のドレンセクタ内を長手方向および横方向に延在する仕切板であって、ドレン板の端部が、第１の弧状のドレンセクタと第２の弧状のドレンセクタとの間に配置された格子ホルダの方に向かって配置された、仕切板とを備える回転ドラムフィルタによって緩和される。
【００１６】
本開示の例示的な実施形態の利点は、供給者が、例示的なスロットのある格子ホルダおよび仕切板で既存の回転フィルタドラムを改造することができることである。
【００１７】
添付の図面に示すように、前述のことは、本開示の例示的な実施形態の以下のより具体的な説明から明らかとなろう。図は必ずしも原寸に比例したものではなく、その代わりに、開示する実施形態を示す際、誇張されている。
【図面の簡単な説明】
【００１８】
【図１Ａ】斜めの仕切板を有する例示的な回転ドラムフィルタの概略斜視図である。
【図１Ｂ】斜めの仕切板を有する例示的な回転ドラムフィルタの代替の構造の断面斜視図である。
【図２】各ドレンセクタに少なくとも２つの仕切板を有する例示的な回転ドラムフィルタの概略側面図であり、例示的な回転ドラムフィルタの長さを示す。
【図３】各ドレンセクタに少なくとも３つの仕切板を有する例示的な回転ドラムフィルタの側面図であり、例示的な回転ドラムフィルタの長さを示す。
【図４Ａ】例示的な回転ドラムフィルタの幅方向の側面図である。
【図４Ｂ】図４Ａの頂点の詳細側面図である。
【発明を実施するための形態】
【００１９】
好ましい実施形態の以下の詳細な説明は、例示および説明する目的のためだけに提示されており、網羅的であることや本発明の範囲および精神を限定することを意図したものではない。これらの実施形態は、本発明の原理およびその実際の適用を最も良く説明するために選ばれて記載された。当業者であれば、本発明の範囲および精神から逸脱することなく本明細書で開示される本発明に対して多くの変更を行うことができることは認識するであろう。
【００２０】
類似の参照符号（例えば、１４０、２４０、３４０、４４０）は、特記しない限り、いくつかの図全体にわたって対応する部品を示す。図は、本開示による様々な特徴および構成部品の実施形態を示しているが、図は必ずしも原寸に比例したものではなく、特定の特徴は本開示の実施形態をより良く示すために誇張されている場合があり、このような例示は本開示の範囲を限定するものとして解釈されるべきではない。
【００２１】
本明細書で特に明記する場合を除いて、以下の解釈規則がこの明細書に適用される。
（ａ）本明細書で用いられるすべての語は、状況が要求するような性または数（単数または複数）であるとみなすものとする；（ｂ）明細書および添付の特許請求の範囲で用いられる単数形用語「１つ（ａ）」、「１つ（ａｎ）」、および「その（ｔｈｅ）」は、文脈においてそうでないこと明示しない限り、複数形を含む；（ｃ）記載される範囲または値に適用される先行用語「約（ａｂｏｕｔ）」は、測定方法から当技術分野で知られる、または予想される範囲または値での偏差内の近似値を表す；（ｄ）語「本明細書で（ｈｅｒｅｉｎ）」、「これによって（ｈｅｒｅｂｙ）」、「これに関して（ｈｅｒｅｔｏ）」、「上記の（ｈｅｒｅｉｎｂｅｆｏｒｅ）」、および「下記の（ｈｅｒｅｉｎａｆｔｅｒ）」、ならびに類似した趣旨の語は、特に明記しない限り、この明細書全体を指し、いかなる特定の段落、請求項、または他の小区分も指さない；（ｅ）記述的見出しは便宜上のためだけであり、明細書のいかなる部分の意味または構造も制御せず、またはそれに影響を及ぼさない；（ｆ）「または（ｏｒ）」および「任意の（ａｎｙ）」は排他的でなく、「含む（ｉｎｃｌｕｄｅ）」および「含んでいる（ｉｎｃｌｕｄｉｎｇ）」は限定的でない。さらに、用語「備えている（ｃｏｍｐｒｉｓｉｎｇ）」、「有している（ｈａｖｉｎｇ）」、「含んでいる（ｉｎｃｌｕｄｉｍｇ）」、および「含有している（ｃｏｎｔａｉｎｉｎｇ）」は、特に明記しない限り、制限のない用語（すなわち、「含んでいるが、これに限定されるものではない（ｉｎｃｌｕｄｉｎｇ  ｂｕｔ  ｎｏｔ  ｌｉｍｉｔｅｄ  ｔｏ）」ことを意味する）と解釈されるべきである。
【００２２】
明細書において、「１つの実施形態」、「実施形態」、「例示的な実施形態」などと言及することは、説明される実施形態が、特定の特徴、構造、または特性を含む場合があるが、あらゆる実施形態が必ずしもこの特定の特徴、構造、または特性を含むわけではないことを示す。さらに、このような表現は必ずしも同じ実施形態について言及しているわけではない。さらに、ある実施形態に関連して特定の特徴、構造、または特性が説明されるとき、明示的に説明されているかどうかにかかわらず、他の実施形態と関連してこのような特徴、構造、または特性に影響を与えることは当業者の知識の範囲内であると言える。
【００２３】
記述的裏づけを与えることを必要とする限りにおいて、添付の特許請求の範囲の主題および／または本文は、参照によりその全体が本明細書に組み込まれる。
【００２４】
本明細書で特に明記しない限り、本明細書での値の範囲の記載は、単にその範囲、またはその範囲の間の任意の部分範囲に入る別個のそれぞれの値に個々に言及する手短な方法として供するように単に意図されているに過ぎない。記載された範囲内の別個のそれぞれの値は、別個のそれぞれの値が本明細書に個別に記載されているかのように本明細書または特許請求書の範囲内に組み込まれる。特定の値の範囲が提供される場合、文脈においてそうでないこと明示しない限り、その範囲の上限と下限の間の、下限の単位の１０分の１以下までの各中間値、およびその明記される範囲または部分範囲内の他の任意の明記される値または中間の値がその中に含まれると理解されたい。すべての部分範囲もまた含まれる。これらのより狭い範囲の上限および下限もまたその中に含まれるが、明記された範囲において特別に明示的に除外された上下限に従う。
【００２５】
本明細書で使用する用語のいくつかは相対的な用語であることに留意すべきである。例えば、用語「上方」および「下方」は、互いに対する相対的な位置関係である。すなわち、上方の構成部品は、所与の向きで下方の構成部品より高い位置に配置されているが、装置をひっくり返すとこれらの用語は変わり得る。用語「入口」および「出口」は、所与の構造体に関してそれらを通って流れる流体に関係しており、例えば、流体は入口を通って構造体に流入し、出口を通って構造体から流出する。用語「上流」および「下流」は、流体が様々な構成部品を通って流れる方向に関係しており、すなわち、流体は、下流の構成部品を通って流れる前に上流の構成部品を通って流れる。
【００２６】
用語「水平の」および「鉛直の」は、絶対基準、すなわち地面に対する方向を示すために使用される。しかしながら、これらの用語は、構造体が互いに対して絶対的に平行または絶対的に垂直であることを必要としていると解釈すべきではない。例えば、第１の鉛直の構造体と第２の鉛直の構造体は必ずしも互いに対して平行ではない。用語「上部」および「下部」または「底部」は、絶対基準、すなわち地球の表面に対して、上部は常に下部／底部より高い位置／表面であることを指すために使用される。用語「上向き」および「下向き」もまた、絶対基準に関し、上向きの流れは常に地球の重力の反対方向である。
【００２７】
回転ドラムフィルタ１００は、いくつかの産業においていくつかの用途のために使用される。例えば、パルプおよび製紙工業において、回転ドラムフィルタは、褐色紙料の洗浄およびパルプの漂白において石灰泥を濾過するために使用することができる。回転ドラムフィルタ１００はまた、液体から固体を大規模に分離する必要のある他の産業、例えば、鉱山業にも使用される。図１Ａは、複数のドレン穴１１５を画定する領域を有するドラムシェル１１０を備える例示的な回転ドラムフィルタ１００の概略斜視図である。回転ドラムフィルタ１００は、回転中心Ｃの周りに半径方向に延在する梁１０６および／または支持円盤１０３を備えることができる回転支持構造１０５を備える。ジャーナル１０２または中央ドレンチャネル１０７は、回転中心Ｃを取り囲むことができる。支持構造１０５は、ドレン穴１１５および中央ドレンチャネル１０７と流体連通するドレン導管１０９をさらに備える。他の例示的な回転ドラムフィルタ１００では、ドレン導管１０９は構造体でなくてもよいことは理解されよう。特定の例示的な実施形態では、樋１０１は、ドレン穴１１５の列および１つまたは複数のドレン導管１０９の下に配置されてもよい。これらの実施形態では、樋１０１によって、濾液１３０は、ドレン穴１１５の列から外側ドレン導管穴１１３を経てドレン導管１０９へ流れることができる。中央ドレンチャネル１０７の端部１０８は、典型的には真空タンクおよびポンプを備える真空システム１１１と流体連通する。真空システム１１１は真空を作り出して、懸濁液１４５から濾液１３０を引き抜きやすくする。懸濁液は、石灰泥、ドレッグス、パルプ、スラッジ、鉱物スラリ、または回転ドラムフィルタ１００で分離することができる他の個体と液体の懸濁液であってもよい。
【００２８】
図示の実施形態では、格子ホルダ１２０は、ドラムシェル１１０の外面１１２上を長手方向に延在し、弧状の間隔１２３で配置されて、弧状の複数のドレンセクタ１２５を画定する。格子ホルダ１２０は、ドラムシェル１１０の外面１１２に溶接または他の方法で取り付けられてもよい。図示の例示的な実施形態では、各格子ホルダ１２０は、各格子ホルダ１２０の長さＬに沿って配置されたいくつかのスロット１２７を有する。他の例示的な実施形態では、格子ホルダ１２０は、濾液１３０が格子ホルダ１２０の下を流れることができるようにドラムシェル１１０の外面１１２の少し上方に配置されてもよい。格子ホルダ１２０がドラム１１０の上方に配置されるような実施形態では、格子ホルダにスロット１２７がなくてもよい。
【００２９】
格子セグメント１２６は、隣接する２つの格子ホルダ１２０の間に配置され、仕切板１４０を覆って配置される。フィルタ材１２８は、繊維、プラスチック、またはワイヤのメッシュスクリーンとすることができ、回転ドラムフィルタ１００の周りに格子セグメント１２６を覆って配置される。
【００３０】
仕切板１４０は、ドラムシェル１１０の外面１１２上に配置され、弧状のドレンセクタ１２５内を長手方向および横方向に延在する。仕切板１４０は、平板のシートから切り取られ、次いで、丸くされて、ドラム外面１１２の曲線に合うように形成されてもよい。仕切板１４０は、第１の端部１４１および第２の端部１４３を備える。図示の実施形態では、第１の端部１４１および第２の端部１４３は両方とも、別々のドレン穴１１５の近くに配置される。仕切版１４０は、隣接する格子ホルダ１２０ａに対して角度Θで配置される。他の例示的な実施形態では、仕切板１４０は、隣接する２つ以上のドレンセクタ１２５に沿って延在してもよい。
【００３１】
図１Ｂは、代替の回転ドラムフィルタ１００の設計の断面斜視図である。この図は、バット１５０およびハウジング１５１内に配置されたドラムシェル１１０を示す。ドレン導管１０９は、図１Ａの実施形態より長くドラム１１０の長さＬに概ね沿って延在する。ドレン導管１０９、およびドレン導管から延在する腕導管１０９ｚは、ドレン穴１１５と直接流体連通し、それによって、図１Ａに示したような樋１０１の使用を避けることができる。図１Ｂには示されていないが、図示の代替の回転ドラムフィルタは、図１Ａに示した態様と類似の態様で、第１の端部１４１および第２の端部１４３を有し、ドラムシェル１１０の外面１１２に沿って横方向および長手方向に延在する仕切板１４０を有する。第１の端部１４１は、第１のドレン穴１１５の近くに配置されることが好ましく、第２の端部１４３は、第１のドレン穴１１５から長手方向および横方向の遠位に配置された第２のドレン穴１１５の近くに配置されることが好ましい。
【００３２】
図２は、各ドレンセクタ２２５に少なくとも２つの仕切板２４０ａ、２４０ｂを備えた例示的な回転ドラムフィルタ２００の概略側面図である。ドレンセクタ２２５のそれぞれは、第２の長手方向端部２３４から遠位に配置された第１の長手方向端部２３２、および、第２の横方向端部２３８から遠位に配置された第１の横方向端部２３６を有する。他のドレンセクタ２２５に隣接して配置された複数のドレンセクタ２２５がある。本開示の原理を明瞭にするために、出願人は、特に、第１のドレンセクタ２２５ｚおよび第２のドレンセクタ２２４ｙを参照して、格子ホルダ２２０のドレン板２４０およびスロット２２７を説明する。
【００３３】
図２に示すように、第１のドレンセクタ２２５ｚは、第２のドレンセクタ２２５ｙに隣接して配置される。第１のドレンセクタ２２５ｚでは、第１の仕切板２４０ａｚの第１の端部２４１ａｚは、第１のドレンセクタの第１の横方向端部２３６ｚおよび第１の長手方向端部２３２ｚのより近くに配置される。第１の仕切板の第１の端部２４１ａｚと比べると、第１の仕切板２４０ａｚの第２の端部２４３ａｚは、第１のドレンセクタの第２の横方向端部２３８ｚおよび第２の長手方向端部２３４ｚのより近くに配置される。
【００３４】
第２のドレンセクタ２２５ｙでは、第１の仕切板２４０ａｙの第１の端部２４１ａｙは、第２のドレンセクタの第２の横方向端部２３８ｙおよび第１の長手方向端部２３２ｙのより近くに配置される。仕切板の第１の端部２４１ａｙと比べると、第１の仕切板２４０ａｙの第２の端部２４３ａｙは、第２のドレンセクタの第１の横方向端部２３６ｙおよび第２の長手方向端部２３４ｙのより近くに配置される。このように、左から右に目を動かすと、第１の仕切板２４０ａｚ、２４０ｂｙは、第１のドレンセクタ２２５ｚと第２のドレンセクタ２２５ｙとの間に配置された中間格子ホルダ２２０ｚの方に向かって収束するように見え、これを「収束仕切板」と記述する。
【００３５】
図示の実施形態では、第１のドレンセクタ２２５ｚの第２の仕切板２４０ｂｚの第１の端部２４１ｂｚは、第１のドレンセクタの第２の横方向端部２３８ｚおよび第１の長手方向端部２３２ｚのより近くに配置される。第２の仕切板の第１の端部２４１ｂｚと比べると、第２の仕切板２４０ｂｚの第２の端部２４３ｂｚは、第１のドレンセクタの第１の横方向端部２３６ｚおよび第２の長手方向端部２３４ｚのより近くに配置される。
【００３６】
第２のドレンセクタ２２５ｙの第２の仕切板２４０ｂｚの第１の端部２４１ｂｙは、第２のドレンセクタの第１の横方向端部２３６ｙおよび第１の長手方向端部２３２ｙのより近くに配置される。第２のドレンセクタの第１の端部２４１ｂｙの第２の仕切板と比べると、第２の仕切板２４０ｂｙの第２の端部２４３ｂｙは、第２のドレンセクタの第２の横方向端部２３８ｙおよび第２の長手方向端部２３４ｙのより近くに配置される。このように、左から右に目を動かすと、第２の仕切板２４０ｂｚ、２４０ｂｙは、第１のドレンセクタ２２５ｚと第２のドレンセクタ２２５ｙとの間に配置された中間格子ホルダ２２０ｚから離れて発散するように見え、これを「発散仕切板」と記述する。
【００３７】
特定のドレンセクタ２２５は、収束および発散仕切板の両方を有することができ、この「収束」および「発散」は、特定の隣接するドレンセクタの組（２２５、２２５ｚ、２２５ｙ参照）に対してどちらの格子ホルダ２２０が中間格子ホルダ２２０ｚとして働くかに応じて変わることは理解されよう。図示の実施形態では、ドラムシェル２１０は、仕切板２４０の各端部の近くにドレン穴２１５を画定する。
【００３８】
図示の実施形態では、収束および発散仕切板２４０は、隣接するドレンセクタ２２５、２２５ｚの間に６角形２５５を生成する。他の例示的な実施形態では、隣接するドレンセクタ２２５の間の収束および発散仕切板２４０は、回転の底Ｎのより近くを向くドレン穴２１５に濾液２３０を導くように構成された、概ね、卵形、円形、菱形、長楕円形、８角形、または他の多角形となる形状を生成してもよいことは理解されよう。したがって、真直ぐ斜めを向く仕切板２４０が最も有用な実施形態であると考えられるが、本開示はまた、概ね、凹状、凸状、湾曲した、分割された、および概ね全体的に湾曲した、小さな直線要素よりなる仕切板４４０を包含することは理解されよう。
【００３９】
図２に示したドレン穴２１５の構成は、例示的なドラムシェル２１０にいかにドレン穴２１５を配置することができるかの例であることはさらに理解されよう。他の例示的な実施形態では、１つまたは複数のドレン穴２１５は、隣接するドレンセクション２２５ｚ、２２５ｙの間に配置されてもよい（例えば、格子ホルダ２２０の下に）。格子ホルダ２２０がない実施形態では、ドレン穴は、隣接するドレンセクション（２２５ｚおよび２２５ｙ参照）の間に配置されてもよい。
【００４０】
図３は、ドレンセクタ３２５が少なくとも３つのドレン板３４０を備える別の例示的な実施形態を示す。他の例示的な実施形態では、ドレンセクタ３２５のドレン板３４０の数は４つ以上でもよいことは理解されよう。
【００４１】
例示的な回転ドラムフィルタ３００は、図２を参照して説明したように、ドレンセクタ３２５および仕切板３４０を備える。第１のドレンセクタ３２５ｚおよび第２のドレンセクタ３２５ｙはそれぞれ、第３の仕切板３４０ｃをさらに備える。第１のドレンセクタ３２５ｚでは、第３の仕切板３４０ｃｚの第１の端部３４１ｃｚは、第３の仕切板の第２の端部３４３ｃｚと比べると、第１のドレンセクタの第１の横方向端部３３６ｚおよび第１の長手方向端部３３２ｚのより近くに配置される。同様に、第３の仕切板の第１の端部３４１ｃｚと比べると、第３の仕切板３４０ｃｚの第２の端部３４３ｃｚは、第１のドレンセクタの第２の横方向端部３３８ｚおよび第２の長手方向端部３３４ｚのより近くに配置される。
【００４２】
第２のドレンセクタ３２５ｙでは、第３の仕切板３４０ｃｙの第１の端部３４１ｃｙは、第３の仕切板の第２の端部３４３ｃｙと比べると、第２のドレンセクタの第２の横方向端部３３８ｙおよび第１の長手方向端部３３２ｙのより近くに配置される。同様に、第２のドレンセクタの第１の端部３４１ｃｙの第３の仕切板と比べると、第３の仕切板３４０ｃｙの第２の端部３４３ｃｙは、第２のドレンセクタの第１の横方向端部３３６ｙおよび第２の長手方向端部３３４ｙのより近くに配置される。図２のように、収束および発散仕切板３４０は、ドレンセクタ３２５間に一連の６角形３５５を画定する。図示の例示的な実施形態では、格子ホルダ３２０は、少なくとも１つの６角形３５５を２等分して、「第１のセクション」３５６および「第２のセクション」３５３を画定する。所与のドレンセクタ３２５が回転の頂点Ａに向かって上がっている間、第１のセクション３５６は回転の底Ｎのより近くに配置される。所与のドレンセクタ３２５上の１点が頂点Ａを通った後は、６角形３５５の第２のセクション３５３は、第１のセクション３５６よりも回転の底Ｎのより近くに向けられる。底Ｎを通ると、第１のセクション３５６は再び、第２のセクション３５３よりも底Ｎの近くに配置され、それによって新しいサイクルを開始する。第１または第２のセクション３５６、３５３のどちらであっても、任意の所与の回転の点で底Ｎのより近くに配置されれば、他のセクションに対して「下方のセクション」と呼ばれることは理解されよう。同様に、第１または第２のセクション３５６、３５３のどちらであっても、任意の所与の回転の点で頂点Ａのより近くに配置されれば、他のセクションに対して「上方セクション」と呼ばれる。他の例示的な実施形態では、所与の格子ホルダ３２０は、仕切板３２５によって形成された形状を２等分しなくてもよく、第１のセクション３５６と第２のセクション３５３の面積は等しくなくてもよいことはさらに理解されよう。
【００４３】
図３および４Ａを参照すれば想像できるように、６角形３５５の第１のセクション３５６は、上昇時、濾液３３０をドレンセクタの第１の横方向端部３３６に導く。格子ホルダ３２０に沿うスロット３２７によって、濾液３３０は、ドラムの外面３１２に沿って下方に流れ、隣接するドレンセクタ３２５ｚに入ることができ、ここで、第１のセクション３５６は、隣接するドレンセクタ３２５ｚの第１の横方向端部３３６の近くのドレン穴３１５で、下方に流れる濾液３３０を集める。収束仕切板および発散仕切板３４０の隣接する組は、濾液をドレンセクタ３２５の第１の横方向端部３３６の近くに配置されたドレン穴３１５に導く。
【００４４】
ドレンセクタ３２５が回転して頂点を通った後、濾液３３０は、ドレンセクタ３２５の第２の横方向端部３３８の方に向かって下方に流れ始める。上昇時の６角形３５５の第２のセクション３５３は、下降時には、底Ｎにより近くなる。それによって、第２のセクション３５３は、濾液３３０をドレンセクタ３２５の第２の横方向端部３３８の近くに配置されたドレン穴３１５に導く。濾液３３０は、経路を逆にして格子ホルダ３２０のスロット３２７を通って戻って、下方に隣接するドレンセクタ３２５ｚの６角形３５５の第２のセクション３５３に入る。
【００４５】
理論に縛られることはないが、出願人は、（例えば、スロット３２７、または、隣接するドレンセクタ（３２５ｚ、３２５ｙ参照）の横方向側面３３６、３３８間に障害物がないことによって）互いに流体連通するように構成された隣接するドレンセクタ（３２５ｚ、３２５ｙ参照）をさらに備えながら、濾液３３０をドレンセクタ３２５の横方向端部３３６、３３８の近くに配置されたドレン穴３１５に導くように構成された仕切板３４０を組み合わせると、外側ドラム組立体の構造的一体性を保ちながら、濾液に対して利用可能なドレン面積が効果的に増大されると考える。このことと仕切板３４０の配置によって、運転者は、最高有効回転速度（すなわち、それ以上回転を上昇させても濾過を増大させることにならない速度）近く、またはその速度において、回転ドラムフィルタ３００のドレン容量を効果的に増大させることができる。仕切板３４０は、３０４ステンレス鋼、３１６ステンレス鋼、炭素鋼などの鋼、チタン、または濾液の腐食性に抗しながら外側ドラム組立体を支持するように構造的剛性および耐久性を有する他の材料から製作することができると考えられる。例えば、石灰泥回転ドラムフィルタでは、濾液は、高腐食化合物である残留水酸化ナトリウム（ＮａＯＨ）を含み得る。別の例として、製造者は典型的には、パルプの漂白プロセスにおいて使用される回転ドラムフィルタに対してチタン仕切板３４０を選ぶと考えられる。
【００４６】
図４Ａは、回転ドラムフィルタ４００の幅に沿った側面図である。参照しやすくするために、１つのドレンセクタ４２５のみが描かれている。この実施形態では、ドラムシェル４１０は、回転軸線Ｃを中心としてＲの方向に回転する。ドレン導管４０９は、中心ドレンチャネル４０７から半径方向外向きに延在し、ドレン穴４１５と（例えば、樋１０１を通って、図１Ａ参照）流体連通する。図４Ａは、ドラムシェル４１０の外面４１２上で、隣接する格子ホルダ４２０間に配置された格子４２６をより明瞭に示す。格子脚部４１６は格子４２６を支持する。フィルタ材４２８は、外面４１２、ならびに、外面４１２上に配置された格子ホルダ４２０、格子４２６、および仕切板４４０を取り囲む。これらの構成部品はまとめて外側ドラム組立体として知られている場合がある。
【００４７】
運転時、回転ドラムフィルタ４１０はＲの方向に回転する。ドレンセクタ４２５が懸濁液バット４５０を出ると、懸濁液４４５はフィルタ材４２８に付着して、回転の頂点Ａの方に向かって回転する。図では、交差する線が多過ぎないようにするために、懸濁液４４５は、約１時の位置に描かれているが、懸濁液は３時の位置より下の位置でフィルタ材４２８に付着し始めることは理解されよう。「１時」および「３時」の言及は、アナログ時計の文字盤上の時刻のことを言っており、本明細書では、円上での位置のことを言及するために使用されている。上昇時、真空システム（３１１参照）および重力によって濾液４３０はフィルタ材４２８を通ってドレンセクタ４２５内に引かれる。ドレンセクタ４２５が回転してバット４５０に戻る前に、ドクターブレード４６６は、濾過後に残っている「脱水された」固体（４４５参照）をかき取る。固体が石灰泥のときには、運転者は、次いで、この石灰泥を石灰キルンに送ることができる。
【００４８】
図４Ｂは、図４Ａと類似の回転フィルタドラム４００の頂点Ａの詳細側面図である。交線は、図４Ｂでは、ドラムの長さのさらに短くするように配置されている。したがって、ドラム表面４１２上に長手方向および横方向に配置された仕切板４４０は、図４Ａに示した仕切板４４０とは異なる位置にあるように見える。これらの図の両方では、仕切板４４０は、格子４２６の下で、格子脚部４１６の間に配置されているように描かれている。仕切板４４０を格子４２６の下に配置し、格子４２６が覆う領域にわたって仕切板４４０を延在させることによって、仕切板４４０は、格子４２６をさらに支持し、スロットのある格子ホルダ４２０からの力を移動することができる。仕切板４４０を格子４２６の下に配置した結果、ドラムシェル４１０全体を再設計することなしに、修理業者は、既存の回転ドラムフィルタ４００のドラム表面４１２を改造することができると考えられる。修理業者は、仕切板４４０がドラム表面４１２上を横方向および長手方向に延在することができるようにいくつかの既存の格子脚部４１６を取り除かなければならない場合がある。
【００４９】
他の例示的な実施形態では、濾液が、（例えば）左から右に、回転ドラムフィルタの外面に沿ってドレン穴の方に向かって下方に流れることができるように、仕切板４４０をすべて同じ向きに向けることができる。特定の例示的な実施形態では、角度Θは９０度にすることができる。例として、角度Θは、約２５度から９０度の間の範囲とすることができる。
【００５０】
他の例示的な実施形態では、格子ホルダ１２０、２２０、３２０、４２０を省くことができる。このような実施形態では、格子１２６、２２６、３２６、４２６は、仕切板１４０、２４０、３４０、４４０と係合するように構成される。留め具によって、格子１２６、２２６、３２６、４２６は仕切板１４０、２４０、３４０、４４０に固定される。他の例示的な実施形態では、仕切板１４０、２４０、３４０、４４０は、格子１２６、２２６、３２６、４２６との一体部分である。格子１２６、２２６、３２６、４２６自体は、長期間のバットハウジング１５１内の環境に抗するのに十分な耐久性をもつ任意の材料より作ることができる。しかしながら、格子は典型的にはプラスチックであり、射出成形法によって作られる。例示的な格子の射出成形型は、仕切板１２６、２２６、３２６、４２６を画定するために液体プラスチックを満たすことができる負の空間を有する。例示的な格子がドラムシェル１１０、２１０、３１０、４１０上に配置されるとき、仕切板１２６、２２６、３２６、４２６は、格子１２６、２２６、３２６、４２６の底から延在する。
【００５１】
格子ホルダ１２０、２２０、３２０、４２０がなければ、スロット１２７の必要性はなくなり、それによって、濾液４４０が、ドラムシェル４１０の上昇しているセクションの６角形３５５の第２のセクション（３５３）から６角形３５５の第１のセクション（３５６）に流れるときに通る領域を増大させるので、格子ホルダ１２０、２２０、３２０、４２０がないことは有利になることがある。仕切板４４０の向きによって、濾液４４０は、セクタ４２５の第１の横方向セクション４３６に配置されたドレン穴４１５にさらに導かれる。このように、本明細書で説明した例示的な実施形態は、重力、隣接するドラムセクタ（３２５ｚおよび３２５ｙ参照）間の開放空間、およびドラムの外面１１２にわたって長手方向および横方向に延在し、ドレン穴１１５、２１５、３１５、４１５に導く仕切板１２６、２２６、３２６、４２６を使用して、従来の回転ドラムフィルタを超える濾過速度となるように濾過速度を増大させる。
【００５２】
本開示による例示的な実施形態の回転ドラムフィルタは、複数のドレン穴を画定する領域を有するドラムシェルと、ドラムシェルの外面上に配置され、ドラムシェルに沿って長手方向および横方向に延在する仕切板とを備え、仕切板は、第１の端部および第２の端部を備え、第１の端部はドレン穴の近くに配置される。
【００５３】
このような例示的な実施形態は、回転中心軸線および中央ドレンチャネルの周りに配置された回転支持構造であって、中央ドレンチャネルの端部が真空システムと流体連通する、回転支持構造と、ドレン穴および中央ドレンチャネルと流体連通するドレン導管と、隣接する２つの格子ホルダ間で、仕切板の上に配置された格子と、回転フィルタドラムの周りに配置されたフィルタ材とをさらに備えることができる。特定に例示的な実施形態では、複数の仕切板のうちの２つ以上の仕切板の第１の端部は、ドレン穴を分離するように隣接して配置される。
【００５４】
例示的な実施形態は、ドラムシェルの外面上を長手方向に延在し、弧状の間隔で配置されて、ドラムシェルの周りに配置される弧状の複数のドレンセクタを画定する格子ホルダをさらに備えることができ、これらの複数の格子ホルダの格子ホルダは、格子ホルダの長さに沿って配置された複数のスロットを備える。特定の例示的な実施形態では、回転ドラムフィルタは、ドラムの外面の周りに配置された格子をさらに備えることができ、仕切板は、ドラムの外面の周りに配置された格子の底と係合する。さらに他の例示的な実施形態では、仕切板は、ドラムの外面の周りに配置された格子の底から延在する。
【００５５】
別の例示的な回転ドラムフィルタは、複数のドレン穴を画定する領域を有するドラムシェルと、弧状の間隔でドラムシェルの外面上を長手方向に延在して弧状の複数のドレンセクタを画定する格子ホルダであって、前記弧状の複数のドレンセクタが、第１のドレンセクタと、第１のドレンセクタに隣接して配置された第２のドレンセクタとを含み、ドレンセクタのそれぞれが、第２の長手方向端部から遠位に配置された第１の長手方向端部と、第２の横方向端部から遠位に配置された第１の横方向端部とを有し、第１のドレンセクタおよび第２のドレンセクタが、第１の横方向端部および第２の横方向端部の近くに配置されたドレン穴を有する、格子ホルダと、ドラムシェルの外面上に配置され、第１のドレンセクタおよび第２のドレンセクタ内を長手方向および横方向に延在する仕切板であって、第１のドレンセクタおよび第２のドレンセクタのドレン板の端部が、第１のドレンセクタと第２のドレンセクタとの間に配置された中間格子ホルダの方に向かって収束する、仕切板とを備える。
【００５６】
このような例示的な実施形態では、第１のドレンセクタは、少なくとも２つの仕切板をさらに備え、第２のドレンセクタは、少なくとも２つの仕切板を備えることができ、各ドレンセクタの少なくとも２つの仕切板のうちの第２の仕切板は、各ドレンセクタの第１の仕切板から長手方向遠位に配置され、第１のドレンセクタの第１の仕切板の第１の端部は、第１のドレンセクタの第１の横方向端部および第１の長手方向端部のより近くに配置され、第１のドレンセクタの第１の仕切板の第２の端部は、第１のドレンセクタの第２の横方向端部および第２の長手方向端部のより近くに配置され、第２のドレンセクタの第１の仕切板の第１の端部は、第２のドレンセクタの第２の横方向端部および第１の長手方向端部のより近くに配置され、第２のドレンセクタの第１の仕切板の第２の端部は、第２のドレンセクタの第１の横方向端部および第２の長手方向端部のより近くに配置され、これによって、第１のドレンセクタの第１の仕切板と第２のドレンセクタの第１の仕切板とは収束仕切板を画定し、第１のドレンセクタの第２の仕切板の第１の端部は、第１のドレンセクタの第２の横方向端部および第１の長手方向端部のより近くに配置され、第１のドレンセクタの第２の仕切板の第２の端部は、第１のドレンセクタの第１の横方向端部および第２の長手方向端部のより近くに配置され、第２のドレンセクタの第２の仕切板の第１の端部は、第２のドレンセクタの第１の横方向端部および第１の長手方向端部のより近くに配置され、第２のドレンセクタの第２の仕切板の第２の端部は、第２のドレンセクタの第２の横方向端部および第２の長手方向端部のより近くに配置され、これによって、第１のドレンセクタの第２の仕切板と第２のドレンセクタの第２の仕切板とは発散仕切板を画定する。
【００５７】
このような例示的な回転ドラムフィルタは、第１のドレンセクタおよび第２のドレンセクタのそれぞれに少なくとも３つの仕切板をさらに備えることができる。各ドレンセクタの少なくとも３つの仕切板のうちの第３の仕切板は、各ドレンセクタの第１の仕切板および第２の仕切板から長手方向遠位に配置され、第１のドレンセクタの第３の仕切板の第１の端部は、第１のドレンセクタの第１の横方向端部および第１の長手方向端部のより近くに配置され、第１のドレンセクタの第３の仕切板の第２の端部は、第１のドレンセクタの第２の横方向端部および第２の長手方向端部のより近くに配置され、第２のドレンセクタの第３の仕切板の第１の端部は、第２のドレンセクタの第２の横方向端部および第１の長手方向端部のより近くに配置され、第２のドレンセクタの第３の仕切板の第２の端部は、第２のドレンセクタの第１の横方向端部および第２の長手方向端部のより近くに配置され、これによって、第１のドレンセクタの第３の仕切板と第２のドレンセクタの第３の仕切板とは収束仕切板を画定する。
【００５８】
さらに別の例示的な回転フィルタドラムは、複数のドレン穴を画定する領域を有するドラムシェルと、ドラムシェルの外面上に配置され、ドラムシェルに沿い、ドラムシェルの上昇するドレンセクタの上方セクションに沿ってドラムシェルの上昇ドレンセクタの下方セクションまで長手方向および横方向に延在する仕切板であって、仕切板は、第１の端部および第２の端部を備え、第１の端部は、ドレン穴の近くに配置され、第２の端部はドレン穴の近くに配置された、仕切板とを備える。
【００５９】
本発明について、最も実際的かつ好ましいと現在考えられている実施形態に関連して説明してきたが、本発明は開示した実施形態に限定されず、逆に、本発明の精神および範囲内に含まれる様々な修正および等価の配置を包含することを意図していることを理解されたい。
【図１Ａ】
2019217497.tif 000003
【図１Ｂ】
2019217497.tif 000004
【図２】
2019217497.tif 000005
【図３】
2019217497.tif 000006
【図４Ａ】
2019217497.tif 000007
【図４Ｂ】
2019217497.tif 000008
【外国語明細書】
2019217497.tif 000009
2019217497.tif 000010
2019217497.tif 000011
2019217497.tif 000012
2019217497.tif 000013
2019217497.tif 000014
2019217497.tif 000015
2019217497.tif 000016
2019217497.tif 000017
2019217497.tif 000018
2019217497.tif 000019
2019217497.tif 000020
2019217497.tif 000021
2019217497.tif 000022
2019217497.tif 000023
2019217497.tif 000024
2019217497.tif 000025
2019217497.tif 000026
2019217497.tif 000027
2019217497.tif 000028
2019217497.tif 000029
2019217497.tif 000030
2019217497.tif 000031
【図1A】
2019217497.tif 000032
【図1B】
2019217497.tif 000033
【図2】
2019217497.tif 000034
【図3】
2019217497.tif 000035
【図4A】
2019217497.tif 000036
【図4B】
2019217497.tif 000037